(57)【特許請求の範囲】
【請求項１】
遊技板の前面を流下する遊技球を受け止めて横斜め下方へと転動させる転動路を上面に有した転動路構成壁と、
前記転動路構成壁における前記転動路の途中又は末端に開口して、スライド蓋によって開閉される開閉入賞口とを備え、
通常は、前記スライド蓋により前記開閉入賞口が閉状態にされかつそのスライド蓋の上面が前記転動路の一部を構成し、遊技が大当り状態になると前記スライド蓋が閉位置から開位置へとスライドして前記開閉入賞口が開状態になり、前記転動路を転動する遊技球が前記開閉入賞口に入賞可能になる遊技機において、
前記転動路のうち前記開閉入賞口の手前には、前記開閉入賞口に向けて遊技球を流下可能な流下段差部が設けられ、
前記転動路の上方には、前記開閉入賞口の手前で上方に跳ね上がる遊技球を前記開閉入賞口に向けて跳ね返す跳返部が備えられ、
前記転動路のうち前記流下段差部より下流側部分を上方から覆う転動路上方カバー壁を設け、
前記転動路上方カバー壁のうち前記流下段差部に対する前記転動路の下流側斜め上方位置に段差部を形成すると共に、その段差部に前記流下段差部に対向するように傾斜した跳ね返し傾斜面を前記跳返部として備え、
前記跳ね返し傾斜面の延長線上に前記開閉入賞口の下流側の一端側が位置することを特徴とする遊技機。
【請求項２】
前記流下段差部には、その下段と上段との間で傾斜した流下傾斜面が備えられたことを特徴とする請求項１に記載の遊技機。
【請求項３】
前記転動路を幅方向で挟んで対峙しかつ少なくとも一方が透明になった１対の転動路側壁を備え、
それら１対の転動路側壁には、前記転動路のうち前記流下段差部の手前に、遊技球を蛇行させる蛇行部を備えたことを特徴とする請求項１又は２に記載の遊技機。
【請求項４】
前記転動路構成壁の上面には、前記開閉入賞口から前記転動路構成壁の上流側端部に向かう途中位置までの範囲に前記転動路が設けられると共に、前記転動路構成壁の上流側端部から前記転動路の上端部までの範囲には、前記転動路全体の勾配より急勾配の転動導入斜面が備えられ、
前記開閉入賞口から前記転動導入斜面までの前記転動路に、段差部を挟んで複数段に分けられかつ前記転動導入斜面より緩やかに傾斜した複数の分割斜面が設けられたことを特徴とする請求項１乃至３の何れか１の請求項に記載の遊技機。
【請求項５】
前記開閉入賞口は、前記転動路の途中に配置され、
前記スライド蓋により前記流下段差部の下段側が構成されると共に前記スライド蓋の上面は、第１サブ分割斜面をなし、さらに、前記転動路構成壁の上面には、前記スライド蓋の下流側に隣接しかつ前記第１サブ分割斜面より段付き状に下がった第２サブ分割斜面が形成されたことを特徴とする請求項１乃至４の何れか１の請求項に記載の遊技機。
【請求項６】
前記転動路のうち前記流下段差部より下流側部分を上方から覆う転動路上方カバー壁と、
前記転動路上方カバー壁の上流側端部から立ち上がり、前記転動路の中間部の上方に位置してその転動路の中間部に向かって流下してくる遊技球を前記転動路の上端部に向けて逆走させるように案内する逆走誘導部を備えたことを特徴とする請求項１乃至５の何れか１の請求項に記載の遊技機。
【請求項７】
前記開閉入賞口を遊技球が１つずつしか入賞できない大きさにしたことを特徴とする請求項１乃至６の何れか１の請求項に記載の遊技機。
【発明の詳細な説明】
【技術分野】
【０００１】
本発明は、遊技球が転動する転動部の途中に入賞口を備えた遊技機に関する。
【背景技術】
【０００２】
従来、この種の遊技機として、入賞口の開口にスライド式の開閉部材を備えて、入賞口が閉鎖しているときには遊技球が開閉部材上を転動し、入賞口が開放していると遊技球が入賞口に入球するものが知られている（例えば、特許文献１参照）。
【先行技術文献】
【特許文献】
【０００３】
【特許文献１】特開２０１０−２０７２６５号公報（段落［００５９］，［００６１］、図３）
【発明の概要】
【発明が解決しようとする課題】
【０００４】
上述した従来の遊技機においては、開放している入賞口の上を遊技球が飛び越える可能性が高いという問題があった。
【０００５】
本発明は、上記事情に鑑みてなされたもので、遊技球が開放している入賞口を飛び越えることを抑制可能な遊技機の提供を目的とする。
【課題を解決するための手段】
【０００６】
上記目的を達成するためになされた請求項１の発明に係る遊技機は、遊技板の前面を流下する遊技球を受け止めて横斜め下方へと転動させる転動路を上面に有した転動路構成壁と、転動路構成壁における転動路の途中又は末端に開口して、スライド蓋によって開閉される開閉入賞口とを備え、通常は、スライド蓋により開閉入賞口が閉状態にされかつそのスライド蓋の上面が転動路の一部を構成し、遊技が大当り状態になるとスライド蓋が閉位置から開位置へとスライドして開閉入賞口が開状態になり、転動路を転動する遊技球が開閉入賞口に入賞可能になる遊技機において、転動路のうち開閉入賞口の手前には、開閉入賞口に向けて遊技球を流下可能な流下段差部が設けられ、転動路の上方には、開閉入賞口の手前で上方に跳ね上がる遊技球を開閉入賞口に向けて跳ね返す跳返部が備えられ、転動路のうち流下段差部より下流側部分を上方から覆う転動路上方カバー壁を設け、転動路上方カバー壁のうち流下段差部に対する転動路の下流側斜め上方位置に段差部を形成すると共に、その段差部に流下段差部に対向するように傾斜した跳ね返し傾斜面を跳返部として備え、跳ね返し傾斜面の延長線上に開閉入賞口の下流側の一端側が位置することに特徴を有する。
【０００９】
請求項２の発明は、請求項１の請求項に記載の遊技機において、流下段差部には、その下段と上段との間で傾斜した流下傾斜面が備えられたところに特徴を有する。
【００１０】
請求項３の発明は、請求項１又は２の請求項に記載の遊技機において、転動路を幅方向で挟んで対峙しかつ少なくとも一方が透明になった１対の転動路側壁を備え、それら１対の転動路側壁には、転動路のうち流下段差部の手前に、遊技球を蛇行させる蛇行部を備えたところに特徴を有する。
【００１１】
請求項４の発明は、請求項１乃至３の何れか１の請求項に記載の遊技機において、転動路構成壁の上面には、開閉入賞口から転動路構成壁の上流側端部に向かう途中位置までの範囲に転動路が設けられると共に、転動路構成壁の上流側端部から転動路の上端部までの範囲には、転動路全体の勾配より急勾配の転動導入斜面が備えられ、開閉入賞口から転動導入斜面までの転動路に、段差部を挟んで複数段に分けられかつ転動導入斜面より緩やかに傾斜した複数の分割斜面が設けられたところに特徴を有する。
【００１２】
請求項５の発明は、請求項１乃至４の何れか１の請求項に記載の遊技機において、開閉入賞口は、転動路の途中に配置され、スライド蓋により流下段差部の下段側が構成されると共にスライド蓋の上面は、第１サブ分割斜面をなし、さらに、転動路構成壁の上面には、スライド蓋の下流側に隣接しかつ第１サブ分割斜面より段付き状に下がった第２サブ分割斜面が形成されたところに特徴を有する。
【００１３】
請求項６の発明は、請求項１乃至５の何れか１の請求項に記載の遊技機において、転動路のうち流下段差部より下流側部分を上方から覆う転動路上方カバー壁と、転動路上方カバー壁の上流側端部から立ち上がり、転動路の中間部の上方に位置してその転動路の中間部に向かって流下してくる遊技球を転動路の上端部に向けて逆走させるように案内する逆走誘導部を備えたところに特徴を有する。
【００１４】
請求項７の発明は、請求項１乃至６の何れか１の請求項に記載の遊技機において、開閉入賞口を遊技球が１つずつしか入賞できない大きさにしたところに特徴を有する。
【発明の効果】
【００１５】
［請求項１の発明］
請求項１の遊技機では、比較的高速で転動してきた遊技球が流下段差部を流下した場合でも転動路の上方に、跳ね上がる遊技球を開閉入賞口に向けて跳ね返す跳返部を設けたことで、高速で転動してきた遊技球も飛び越えさせずに開閉入賞口に向かわせることが可能になる。
【００１６】
また、転動路のうち流下段差部より下流側部分を上方から覆う転動路上方カバー壁を設けたので、流下してきた遊技球が転動路を転動せずに直接開閉入賞口に入賞することが防がれる。また、この転動路上方カバー壁に跳返部としての跳ね返し傾斜面を設けたので、覆う転動路上方カバー壁と跳返部とを別個に設けるよりもスペースを有効利用することができる。
【００１７】
さらに、跳ね返し傾斜面の延長線上に開閉入賞口の下流側の一端側が位置することで、跳ね返し傾斜面に当接した遊技球を開閉入賞口に誘導することが可能となる。
【００１８】
［請求項２の発明］
請求項２の発明では、流下段差部に、その下段と上段との間で傾斜した流下傾斜面が備えられたことで、前記開閉入賞口に向けて遊技球を流下させることが可能となる。
【００１９】
［請求項３の発明］
請求項３の発明では、転動路を幅方向で挟んで対峙する１対の転動路側壁に、遊技球を蛇行させる蛇行部を備えて、流下段差部の手前で遊技球のスピードを抑制することで、遊技球が開閉入賞口を飛び越えることをより確実に防ぐことが可能となる。
【００２０】
［請求項４の発明］
請求項４の発明によれば、上流側端部で転動路側へ振り分けられた遊技球が、転動導入斜面で加速された後、転動路の複数の段差部を通過するにつれ、段階的に開閉入賞口に近づくように転動し、遊技球の動きの趣向性が向上する。
【００２１】
［請求項５の発明］
請求項５の発明によれば、スライド蓋の上面と、その下流側の転動路構成壁の上面のうちスライド蓋の下流側との間にも段差を設けたことで、スライド蓋が開いているときと閉じているときとの遊技球の転動状態に大きな差が生じ、このことによっても遊技球が開放している開閉入賞口を素通りしたか、閉鎖している開閉入賞口の上を遊技球が転動したかを明確に判別することが可能になる。
【００２２】
［請求項６の発明］
請求項６の発明によれば、転動路の中間部に向かって流下してくる遊技球を、一旦上流側へ逆走させてから、下流側へ転動させるので、遊技球のスピードを抑制することが可能になる。
【００２３】
［請求項７の発明］
請求項７の発明によれば、開閉入賞口を遊技球が１つずつしか入賞できない大きさにしたので、例えば、開閉入賞口の開放中に、不正な糸付きの遊技球を開閉入賞口に入れようとした場合、糸付きの遊技球によって開閉入賞口或いは開閉入賞口への通路が塞がり、不正の発見或いは抑制をすることが可能となる。
【図面の簡単な説明】
【００２４】
【図１】本発明の一実施形態に係るパチンコ遊技機の正面図
【図２】遊技板の正面図
【図３】入賞口ユニットの斜視図
【図４】入賞口ユニットの分解斜視図
【図５】可動扉１４Ｔ及びスライド蓋１７Ｔの閉鎖時のユニット本体の斜視図
【図６】可動扉１４Ｔ及びスライド蓋１７Ｔの開放時のユニット本体の斜視図
【図７】ユニット蓋の裏面斜視図
【図８】ユニット本体の正面図
【図９】ユニット本体の正面図
【図１０】ユニット本体の正面図
【図１１】ユニット本体の正面図
【発明を実施するための形態】
【００２５】
以下、本発明を適用したパチンコ遊技機１０（本発明の「遊技機」に相当する。）に係る一実施形態を、図１〜図１１に基づいて説明する。図１に示すように、パチンコ遊技機１０は、前面が前面枠１０Ｚにて覆われており、その前面枠１０Ｚに形成されたガラス窓１０Ｗを通して遊技板１１の遊技領域Ｒ１が視認可能になっている。
【００２６】
前面枠１０Ｚのうちガラス窓１０Ｗより下方には、上皿２６及び下皿２７が上下２段にして設けられ、下皿２７の右側には操作ノブ２８が設けられている。操作ノブ２８を回動操作すると、上皿２６に収容された遊技球が遊技領域Ｒ１に向けて弾き出される。なお、上皿２６に備えた球排出ボタン（図示せず）を押すと上皿２６に収容されている遊技球が下皿２７へと移動する。
【００２７】
図２に示すように、遊技領域Ｒ１は全体が略円形状となっていて、ガイドレール１２により囲まれている。遊技板１１のうち遊技領域Ｒ１の中央には、遊技板表示窓１０Ｈが貫通形成され、この遊技板表示窓１０Ｈを通して、表示装置３０の表示画面３０Ｇが前方に臨んでいる。
【００２８】
遊技板表示窓１０Ｈの開口縁には、表示装飾枠２３が取り付けられている。表示装飾枠２３は、遊技板１１の前面側から遊技板表示窓１０Ｈに嵌め込まれ、遊技板表示窓１０Ｈの内側に張り出すと共に、遊技板１１の前面から突出している。そして、遊技領域Ｒ１を流下する遊技球が、表示装飾枠２３の内側に進入しないように構成されている。表示装飾枠２３の左右両側方には、遊技球が１球ずつ通過可能な基幹経路２１Ｒ，２１Ｌが備えられ、遊技領域Ｒ１に弾き出された遊技球は、これらの一方を通過して下方へと流下していく。なお、左右の基幹経路２１Ｒ，２１Ｌは、左右に小刻みに蛇行している。
【００２９】
遊技領域Ｒ１のうち表示装飾枠２３の下方における左右方向の中央部には、第１の始動入賞口１４Ａ，メイン大入賞口１５及びアウト口１６が、上から順に並べて設けられている。また、メイン大入賞口１５の左右両側方には、一つずつ一般入賞口２０，２０が設けられている。表示装飾枠２３の左側には風車１９が設けられている。
【００３０】
表示装飾枠２３の右側には始動ゲート１８と第２の始動入賞口１４Ｂとが上から順に設けられ、第２の始動入賞口１４Ｂの左下方には、サイド大入賞口１７（本発明の「開閉入賞口」に相当する）が設けられている。また、遊技領域Ｒ１には多数の障害釘が植設されている。
【００３１】
遊技領域Ｒ１の各部位についてさらに詳説する。一般入賞口２０，２０は、所謂、ポケット構造をなし、遊技球が１つずつ入ることが可能な大きさで上方に向けて開口している。
【００３２】
始動ゲート１８は、遊技球が潜って通過可能な門形構造をなしている。始動ゲート１８を遊技球が通過すると普通図柄の当否判定が行われる。その当否判定の結果は、図示しない普通図柄表示部にて表示される。
【００３３】
第１の始動入賞口１４Ａは、上面に開口を備えたポケット構造をなしている。また、第２の始動入賞口１４Ｂは、上方に向けて開口し、常にはスライド式の可動扉１４Ｔにて閉塞されている。そして、前述した普通図柄の当否判定結果が当りの場合に可動扉１４Ｔが後方にスライドし、遊技球が入球可能となる。
【００３４】
各始動入賞口１４Ａ，１４Ｂに遊技球が入賞すると、特別図柄の当否判定が行われ、その判定結果が、表示画面３０Ｇにて表示される。
【００３５】
詳細には、図２に示すように、表示画面３０Ｇには、３つの特別図柄１３Ａ，１３Ｂ，１３Ｃが横並びに停止表示されている。これら各特別図柄１３Ａ，１３Ｂ，１３Ｃは、例えば、「０」〜「９」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞したときに、これら３つの特別図柄１３Ａ，１３Ｂ，１３Ｃが変動表示（上下方向にスクロール表示）され、所定時間後に、例えば、左、右、中の順で各特別図柄１３Ａ，１３Ｂ，１３Ｃが停止表示される。始動入賞口１４Ａ，１４Ｂへの入賞に起因した特別図柄の当否判定結果が当り（以下、「大当り」という）の場合には、３つの特別図柄１３Ａ，１３Ｂ，１３Ｃが全て同じ図柄（ゾロ目）で停止表示され、その後、遊技が「大当り遊技」に移行する。これに対し、判定結果が外れの場合には、ゾロ目以外の組み合わせで停止表示され、通常の遊技状態が続行する。
【００３６】
メイン大入賞口１５は横長矩形状をなして前方に開放し、常には可動扉１５Ｔにて閉塞されている。また、サイド大入賞口１７は、上方に向けて開口し、常にはスライド式のスライド蓋１７Ｔにて閉塞されている。そして、「大当り遊技」になると、各大入賞口１５，１７が開放し、遊戯球が入球可能となる。具体的には、メイン大入賞口１５の可動扉１５Ｔが所定期間に亘って前側に倒される。すると、可動扉１５Ｔを案内にしてメイン大入賞口１５に多くの遊技球が入賞可能となる。また、サイド大入賞口１７のスライド蓋１７Ｔが後方にスライドし、サイド大入賞口１７に遊技球が入賞可能となる。これらの大入賞口１５，１７は、一方が開放しているときは、他方は閉鎖されているように構成されている。
【００３７】
ここで、可動扉１５Ｔ又はスライド蓋１７Ｔが開放してから閉じるまでの間（予め定められた所定期間内で複数開閉を繰り返す場合も含む）を「ラウンド」と称すると、１つのラウンドは、可動扉１５Ｔ又はスライド蓋１７Ｔの開放時間が３０秒に達したか、又は、メイン大入賞口１５又はサイド大入賞口１７に遊技球が１０個入賞したか、の何れかの終了条件が先に満たされた場合に終了する。また、「大当り遊技」は、最大で、例えば２ラウンド行われ、１ラウンド目はメイン大入賞口１５、２ラウンドはサイド大入賞口１７がそれぞれ開放するように構成されている。また、メイン大入賞口１５及びサイド大入賞口１７に遊技球を入球させるには、障害釘の配置により、遊技領域Ｒ１の左側よりも右側に遊技球を流下させた方が有利なように構成されている。
【００３８】
なお、各始動入賞口１４Ａ，１４Ｂ及び一般入賞口２０，２０へ遊技球が入球したときは、例えば、１個の入球につき４個の賞球が上皿２６に払い出されるのに対し、各大入賞口１５，１７に遊技球が入賞すると、例えば、１個の入賞につき１５個の遊技球が上皿２６に払い出されるようになっている。また、上述した各入賞口１４Ａ，１４Ｂ，１５，１７及び２０の何れにも入賞しなかった遊技球は、遊技領域Ｒ１の下端に配置されたアウト口１６に全て取り込まれる。
【００３９】
ここで、図２に示すように、本実施形態のパチンコ遊技機１０では、遊技領域Ｒ１の右下方部に、始動ゲート１８、第２の始動入賞口１４Ｂ、サイド大入賞口１７及び右の一般入賞口２０を一体に備えた入賞口ユニット２５が配置されている。図３に示す入賞口ユニット２５は、ユニット本体２５Ｂにユニット蓋２５Ａを取り付けてなる。具体的には、図４に示すように、ユニット蓋２５Ａの裏面には、複数の円筒突部２５Ｔが形成され、ユニット本体２５Ｂには、それら円筒突部２５Ｔに相当する位置にビス孔２５Ｈが形成されている。これらの円筒突部２５Ｔとビス孔２５Ｈとを合わせて、ユニット本体２５Ｂの裏側からビス止めすることで、ユニット本体２５Ｂにユニット蓋２５Ａが固定されている。なお、ユニット本体２５Ｂには、ユニット蓋２５Ａを固定するためのビス孔２５Ｈ以外にも複数のビス孔２５Ｈが形成されていて、それらのビス孔２５Ｈと遊技板１１に形成されたビス孔（図示せず）とをビス止めすることで、入賞口ユニット２５が遊技板１１に固定されている。
【００４０】
図５に示すように、ユニット本体２５Ｂは、その全体形状が、右上端部から左下端部にかけてガイドレール１２に沿うように湾曲し、その右上端部から左方に延びた上辺と、左下端部から上方に延びた左辺とが接続した形状となっている。詳細には、ユニット本体２５Ｂの上辺は、右上端部から左右方向の中央部まで、僅かに上方に膨らみながら延び、その中央部から斜め上に遊技球１〜２球分傾斜し、そこから左下方へ向けて、上方へ膨らみながら延びている。ユニット本体２５Ｂの左辺は、左下端部から左方へ突出した左突出部２５Ｌを形成した後、垂直上方に遊技球２球分延び、そこから上辺の左端まで、右上方へ延びている。左突出部２５Ｌは、左下端部から左上方へ遊技球２〜３球分延びた後右上方へ遊技球１〜２球分延び、そこから右方へ略水平に遊技球２球分延びている。この左突出部２５Ｌに、上述した一般入賞口２０が形成されている。
【００４１】
ユニット本体２５Ｂは、遊技板１１に重ねられる基準壁２５Ｚに各種部材が前方に突出するように形成されている。以下に詳細を説明する。
【００４２】
ユニット本体２５Ｂのうち右上方部には、第２の始動入賞口１４Ｂと始動ゲート１８とを一体に備えた始動装置３３が備えられている。始動装置３３は、内部を遊技球が１球ずつ通過可能な通路となっていて、いわば靴下のような形状をしている。具体的には、遊技球１〜１．２球分の間隔を空けて並んだ２枚の平行な側壁３３Ｈ，３３Ｈが、ユニット本体２５Ｂの上端から遊技球２〜３個分下方へ延び、そこから左下方へ曲がり、さらに遊技球２〜３個分延びたところで、円弧を描いて連結している。
【００４３】
この始動装置３３の上端部に始動ゲート１８が配されている。また、始動装置３３のうち屈曲部が上述した第２の始動入賞口１４Ｂとなっていて、ここに可動扉１４Ｔが配置されている。始動装置３３の側壁３３Ｈ，３３Ｈのうち右の側壁３３Ｈには、可動扉１４Ｔの上方位置に隙間があり、この隙間は、可動扉１４Ｔによって第２の始動入賞口１４Ｂへの入球を阻まれた遊技球を排出する排出口３３Ａとなっている。なお、可動扉１４Ｔは、遊技球を排出しやすいように右下がりに傾斜している。
【００４４】
また、上述したように、普通図柄の当否判定結果が当りになると可動扉１４Ｔが後方へスライドし、遊技球が第２の始動入賞口１４Ｂに入球可能となる（図６参照）。この第２の始動入賞口１４Ｂに入球した遊技球は、始動装置３３の下端まで誘導された後、遊技板１１の裏側へと排出される。
【００４５】
図５に示すように、ユニット本体２５Ｂにおける右上方部のうち始動装置３３の右方には、始動装置３３との間に遊技球が１球ずつ通過可能な第１通路４０を形成する通路構成体３５が形成されている。通路構成体３５は、ユニット本体２５Ｂの上端から可動扉１４Ｔの上下方向の位置まで延びている。また、通路構成体３５の上下方向の中央部には左方へ突出した突起３５Ｔが形成されていて、第２の始動入賞口１４Ｂの開放時に、第１通路４０を通過した遊技球が突起３５Ｔに衝突して第２の始動入賞口１４Ｂへ入球することが可能となっている。
【００４６】
ユニット本体２５Ｂのうち左上方部は、装飾部材３４となっている。装飾部材３４の右壁３４Ｒは、ユニット本体２５Ｂの上端から始動装置３３における下端の上下方向の位置まで、始動装置３３の左側の側壁３３Ｈに沿って延び、その側壁３３Ｈとの間に遊技球が１球ずつ通過可能な第２通路４１を構成している。また、装飾部材３４の下壁３４Ｄ（本発明の「転動路上方カバー壁」に相当する）は、左方（遊技領域の中央側）へやや下りながら延びている。
【００４７】
図２に示すように、始動装置３３の上方開口は、右の基幹経路２１Ｒの終端開口と上下方向で対向していて、右方向に打たれて右の基幹経路２１Ｒから排出された遊技球は、始動装置３３に入るか、始動装置３３の側壁３３Ｈに弾かれて第１通路４０又は第２通路４１を流下するようになっている。
【００４８】
図５に示すように、ユニット本体２５Ｂにおける下方部には、サイド大入賞口１７を備えた大入賞口構成体３６が形成されている。大入賞口構成体３６の下壁３６Ｄは、通路構成体３５の下端から遊技球１球分空き、かつ、ユニット本体２５Ｂの右方外縁からも遊技球１球分空いた位置から、ユニット本体２５Ｂの外縁に沿ってユニット本体２５Ｂの左下端付近まで延びている。大入賞口構成体３６の上壁３６Ｕ（本発明の「転動路構成壁」に相当する）は、大入賞口構成体３６の右上端部から、始動装置３３の右の側壁３３Ｈの下方部と略平行に、左下方へ延び、そこから左方へやや下るように傾斜しながら延びている。また、上壁３６Ｕと下壁３６Ｄとの一端側（右側）は繋がっており、他端側（左側：遊技領域の中央側）の間はやや右方に湾曲しながら上下方向に延びた連絡壁３６Ｒにより連絡されている。
【００４９】
サイド大入賞口１７は、大入賞口構成体３６における上壁３６Ｕのうち左端寄り位置に遊技球１球分開口して形成されていて、このサイド大入賞口１７を閉塞するようにスライド蓋１７Ｔが配置されている。サイド大入賞口１７は、通常時はスライド蓋１７Ｔにより閉塞されていて、上壁３６Ｕを転動した遊技球はスライド蓋１７Ｔの上面を通過して左方へ転動していく。そして、「大当り遊技」になると、スライド蓋１７Ｔが後方にスライドし、遊技球がサイド大入賞口１７に入球可能となる（図６参照）。サイド大入賞口１７に入球した遊技球は、大入賞口構成体３６内に形成された大入賞通路５０を通過して、遊技板１１の裏側へと排出される。
【００５０】
また、大入賞口構成体３６の下壁３６Ｄとガイドレール１２との間は、排出通路４４となっていて、排出通路４４に流下した遊技球はアウト口１６へと誘導される（図２参照）。
【００５１】
図４に示すように、ユニット蓋２５Ａは、上方部から下方部へかけて左方へ曲がりながら延びていて、ユニット本体２５Ｂにおける始動装置３３、通路構成体３５、大入賞口構成体３６、及び、第１通路４０、第２通路４１、転動路４３を前方から覆っている。
【００５２】
ところで、上述したように、大入賞口構成体３６の上壁３６Ｕは、上端部から左下方へ延び、そこから左方へやや下るように傾斜しながら延びている（図５参照）。この上壁３６Ｕのうち上端部から中間位置まで延びた比較的急勾配の部分の上面が本発明の「転動導入斜面４６」に相当し、転動導入斜面４６よりも緩やかな勾配で転動導入斜面４６の下端から下端部まで延びた部分の上面が本発明の「転動路４３」に相当する。転動路４３は、始動装置３３の側壁３３Ｈ及び装飾部材３４の下壁３４Ｄとの間を、遊技球が１球ずつ通過可能となっている。なお、サイド大入賞口１７が閉鎖しているときのスライド蓋１７Ｔの上面も転動路４３の一部を構成している。
【００５３】
図８に示すように、転動路４３には、複数の段差部を挟んで複数段に分けられかつ転動導入斜面４６より緩やかに傾斜した複数の分割斜面４３Ｌ，４３Ｍ，４３Ｎが設けられている。具体的には、転動導入斜面４６の下端位置から第１分割斜面４３Ｌが左方へ延び、第１分割斜面４３Ｌより急勾配の斜面４３Ｃを挟んで、第１分割斜面４３Ｌよりも一段低い位置から第２分割斜面４３Ｍが左方へ延びている。そして、第２分割斜面４３Ｍの左端から略垂直に延びた垂直面４３Ｄの下端から左方へ第３分割斜面４３Ｎが延びている。なお、複数の分割斜面４３Ｌ，４３Ｍ，４３Ｎは略同じ勾配で、第１分割斜面４３Ｌ、第２分割斜面４３Ｍ、第３分割斜面４３Ｎの順に長くなっている。
【００５４】
さて、第３分割斜面４３Ｎの左端と、サイド大入賞口１７の右側開口縁との間には、第３分割斜面４３Ｎの勾配よりも急勾配な流下傾斜面４３Ｋが形成されている。なお、この流下傾斜面４３Ｋ、第３分割斜面４３Ｎの流下傾斜面４３Ｋ寄り部分及びスライド蓋１７Ｔの流下傾斜面４３Ｋ寄り部分によって、本発明の「流下段差部」が構成されている。なお、「流下段差部」は、転動路の落差が局所的に大きくなった構造であればよく、流下段差部の上段部と下段部との間は、垂直面であってもよいし、傾斜面であってもよいし、その他のどのような形状であってもよい。
【００５５】
大入賞口構成体３６の上壁３６Ｕのうち、スライド蓋１７Ｔより左方の部分は、スライド蓋１７Ｔの上面から段付き状に下がったサブ分割斜面４３Ｒとなっている。なお、スライド蓋１７Ｔの上面が本発明の「第１サブ分割斜面」に相当し、サブ分割斜面４３Ｒが本発明の「第２サブ分割斜面」に相当する。
【００５６】
上述したように、転動路４３の少なくとも１部は、装飾部材３４の下壁３４Ｄに上方から覆われている。この下壁３４Ｄのうち流下傾斜面４３Ｋの左斜め上方位置に段差部を形成すると共に、その段差部には流下傾斜面４３Ｋに対向するように傾斜した跳ね返し傾斜面３４Ｈ（本発明の「跳返部」に相当する）が備えられている。そして、跳ね返し傾斜面３４Ｈの傾斜角と流下傾斜面４３Ｋの傾斜角は傾斜角度が異なり、跳ね返し傾斜面３４Ｈの下方側の延長線上にサイド大入賞口１７の開口部の下流側端部を位置するように構成される一方、流下傾斜面４３Ｋの下方側延長線上は、跳ね返し傾斜面３４Ｈの下方側の延長線上と交差するように構成され、跳ね返し傾斜面３４Ｈの延長線上にサイド大入賞口１７の開口部の下流側端部を位置するように構成することで跳ね返し傾斜面３４Ｈに当接した遊技球をサイド大入賞口１７に誘導し易く構成される。また、装飾部材３４における右壁３４Ｒのうち下端には、右方へ突出し、第２通路４１を通過して転動路４３の中間部に向かって流下してくる遊技球を転動路４３の上端部に向けて逆走させるように案内する逆走誘導部３４Ｇが形成されている。逆走誘導部３４Ｇによって流下方向を右側に変更することで、転動路４３を通過する遊技球と第２通路４１を通過した遊技球による球づまりを抑制することが可能となっている。
【００５７】
ここで、転動路４３は、ユニット本体２５Ｂの基準壁２５Ｚと、ユニット蓋２５Ａとによって前後方向から挟まれているが、これらは共に透明樹脂により形成され、転動路４３を転動する遊技球が前方から視認可能となっている。なお、ユニット本体２５Ｂの基準壁２５Ｚと、ユニット蓋２５Ａとのうち、転動路４３を挟んだ部分が本発明の「１対の転動路側壁」が構成されている。そして、「１対の転動路側壁」には、転動路４３における流下傾斜面４３Ｋの手前位置に、遊技球を蛇行させる蛇行部４３Ｊが備えられている。具体的には、図５に示すように、ユニット本体２５Ｂの基準壁２５Ｚのうち、流下傾斜面４３Ｋの手前位置の上方部分に、奥方向へ陥没した蛇行凹部２５Ｄが形成されている。また、図７に示すように、ユニット蓋２５Ａの裏面のうち蛇行凹部２５Ｄと対向する部分に、台形状に後方側へ突出した蛇行突部２５Ｅが形成されている。これらの蛇行凹部２５Ｄ及び蛇行突部２５Ｅによって、蛇行部４３Ｊが構成されている（図８参照）。
【００５８】
また、図５に示すように、ユニット本体２５Ｂの基準壁２５Ｚのうち、第２通路４１の中間位置と、転動導入斜面４６の上方位置とには、台形状に前方側へ突出した突起２５Ｍが２つずつ形成され、図７に示すように、ユニット蓋２５Ａのうち、突起２５Ｍより遊技球０．５〜１球分下流側へずれた位置には、台形状に後方側へ突出した突起２５Ｎが２つずつ形成されている。これらの各突起２５Ｍ，２５Ｎにより、第２通路４１又は転動導入斜面４６を通過する遊技球は、前後方向に蛇行しながら進行する。なお、蛇行突部２５Ｅ、蛇行凹部２５Ｄ及び各突起２５Ｍ，２５Ｎは遊技球の流下方向に沿って傾斜面を備えていて、遊技球が蛇行しながらもスムーズに流下するようになっている。
【００５９】
ここで、サイド大入賞口１７の入賞入口について詳説する。「入賞入口」とは、「入賞口又は当該入賞口に連なる遊技釘等（遊技部材）で構成される遊技球の流下経路のうち、入賞口から最も離れた位置にあるもの」のことであり、「入賞口に連なる遊技釘等」とは、遊技釘間を遊技球が通過できないように遊技釘等を連続配置したもののことをいう。即ち、遊技球をサイド大入賞口１７に案内する大入賞口構成体３６の上壁３６Ｕは、「入賞口に連なる遊技釘等」に相当する。
【００６０】
図１１に示すように、サイド大入賞口１７の左端側開口縁を支点Ｐ０として転動路４３の右方側に延びる架空の基準線Ｈ（図１１に示す一点鎖線）を水平状態から上方（図１１における反時計回り方向）に回動して（徐々に起こして）いくと、大入賞口構成体３６の上壁３６Ｕの最上端点Ｐ１が、基準線Ｈが最後に離れる位置（支点Ｐ０から最も離れた位置）となる。この最上端点（振分部）Ｐ１と支点Ｐ０とを結ぶ線分Ｈが、サイド大入賞口１７の入賞境界線分Ｎとなり、サイド大入賞口１７への実質的な入賞入口と見なすことができる。つまり、本実施例では、最上端点Ｐ１が、遊技球をサイド大入賞口１７側の転動路４３側かアウト口１６に誘導可能な排出通路４４かの何れかに振り分ける部位であることから、最上端点Ｐ１が入賞口又は当該入賞口に連なる遊技釘等（遊技部材）で構成される遊技球の流下経路のうち、入賞口から最も離れた位置にあるものとなる。
【００６１】
また、ここで、大入賞口の入賞入口は５５ｍｍを越え１３５ｍｍ以下に規定されているため、サイド大入賞口１７は、入賞境界線分Ｎの長さが上記の範囲内になるように配置されている。なお、「大入賞口」とは、「入賞口のうち役物が作動した場合に著しく入賞が容易になる入賞口」のことである。
【００６２】
そして、この入賞境界線分Ｎと大入賞口構成体３６の上壁３６Ｕで囲まれた領域（図１１に示す斜線のハッチング部分）が、それ以外の領域よりもサイド大入賞口１７に遊技球が入賞し易い高確率流下領域Ｋとなる。高確率流下領域Ｋは、高確率流下領域Ｋの流下面を凹状（屈折又は屈曲）に構成することで遊技球の流れを直線的な流れと異なる流れとすることが可能となり、少なくとも遊技球を１部が進入可能である（含むことができる）と共に、遊技球を複数の流下経路に分割可能な障害釘や遊技球が入球可能な入球部が設けられていないので、高確率流下領域Ｋ内での遊技球の流下方向の変化が少なく、高確率流下領域Ｋに流下した遊技球のほとんどがサイド大入賞口１７に入賞し易いようになっている。
【００６３】
第１通路４０を通過した遊技球は、大入賞口構成体３６の最上端点Ｐ１で左右に振り分けられ、左側に振り分けられた遊技球のみが高確率流下領域Ｋへと入りサイド大入賞口１７に入球可能となり、右側に振り分けられた遊技球は排出通路４４を通過してアウト口１６へと向かわせられる。よって、開閉入賞口のうち転動路の下流側に位置する開口縁を支点にして前記転動路の上流側に延びる架空の基準線を水平状態から徐々に起こしたときに、前記転動路構成壁のうち支点から最も離れた位置を最上端点とすると、前記転動路構成壁は、前記遊技板の前面における遊技球の流下経路を前記最上端点で左右に振り分け、その一方に振り分けられた遊技球のみを前記転動路から前記開閉入賞口に向かわせる構造に形成され、前記遊技板の前面には、前記転動路構成壁の前記最上端点で他方に振り分けられた遊技球を前記開閉入賞口以外の入賞口又はアウト口に向かわせる流下経路が備えられ、前記支点と前記最上端点とを結ぶ入賞境界線分と前記転動路構成壁とに囲まれた高確率流下領域には、前記開閉入賞口以外に遊技球が入球可能な入球部が設けられていないように構成されている。そのため、転動路構成壁のうち、開閉入賞口の下流側開口縁と最上端点とを結ぶ入賞境界線分に相当する開口部分を、法律により定められている「入口」として利用することが可能となる。また、前記高確率流下領域は、遊技球の少なくとも１部が進入可能な大きさになるように前記転動路構成壁の上面が前記入賞境界線分から離れる側に凹状に（屈折又は屈曲して）構成されている。なお、架空の基準線Ｈが最上端点Ｐ１に到達する前に始動装置３３に到達した場合は、始動装置３３からの延長線上の壁部までが入賞入口となるため、その場合はその入賞入口内にアウト口１６に誘導可能な排出通路４４への通路を設けないように構成する。
【００６４】
本実施形態のパチンコ遊技機１０の構成に関する説明は以上である。次に、本実施形態のパチンコ遊技機１０の作用効果について説明する。図１に示す操作ノブ２８を操作して複数の遊技球を、順次、図２に示す遊技領域Ｒ１に打ち込むと、それら遊技球が遊技領域Ｒ１の左側部領域に流下するものと、遊技領域Ｒ１の右側部領域に流下するものとに打ち分けられる。そして、流下方向をランダムに変化させながら流下した遊技球のうちのいくつかが第１及び第２の始動入賞口１４Ａ，１４Ｂに入賞すると、当否判定が行われ、その当否判定結果が液晶画面１３Ｇに表示される。即ち、当否判定の結果に基づいて液晶画面１３Ｇにおいて、３つの特別図柄１３Ａ，１３Ｂ，１３Ｃが、上下方向にスクロール表示された後、左、右、中の順番で特別図柄１３Ａ，１３Ｂ，１３Ｃが停止表示され、それら特別図柄１３Ａ，１３Ｂ，１３Ｃが同一であるか否かによって当否判定結果が報知される。
【００６５】
当否判定結果が「当り」の場合には、左、中、右の全ての特別図柄１３Ａ，１３Ｂ，１３Ｃが同じ図柄で停止表示されて、その後、「大当り遊技」が開始される。１ラウンド目は、メイン大入賞口１５を閉鎖していた可動扉１５Ｔが所定期間に亘って前方に倒れ、遊技領域Ｒ１を流下する遊技球が可動扉１５Ｔを案内にして大入賞口１５に入賞可能となる遊技が実行される。このとき、サイド大入賞口１７のスライド蓋１７Ｔは閉鎖しており、遊技領域Ｒ１の右側部領域を流下した遊技球のうち転動路４３に受け止められたものは、スライド蓋１７Ｔ上を通過しながらメイン大入賞口１５へ向かう。
【００６６】
そして、１ラウンド目が終了して２ラウンド目が実行されると、メイン大入賞口１５に代わってサイド大入賞口１７が開放される。ここで、遊技領域Ｒ１の右側部領域に弾き出され、右の基幹経路２１Ｒから排出された遊技球は、始動装置３３に入球するか、第１通路４０、第２通路４１の何れかを流下する。始動装置３３に入球した遊技球は、第２の始動入賞口１４Ｂに入球するか、排出口３３Ａから第１通路４０へと排出される。
【００６７】
図８に示すように、第１通路４０を流下した遊技球は大入賞口構成体３６の最上端点Ｐ１によって左右に振り分けられる。右方へ振り分けられた遊技球は、排出通路４４を通過してアウト口１６（図２参照）へと誘導される。一方、左方へ振り分けられた遊技球は転動導入斜面４６を通過して転動路４３を左方へ転動する。また、第２通路４１を流下した遊技球は、第２通路４１の下端部の逆走誘導部３４Ｇによって転動路４３の右方側へと排出された後、転動路４３の勾配によって左方へと転動する。そして、転動路４３を転動した遊技球は、開放したサイド大入賞口１７（図６参照）へと入球する。
【００６８】
ここで、図９に示すように、本実施形態では、転動路４３のうちサイド大入賞口１７の右方側手前に流下傾斜面４３Ｋを設けたので、遊技球がサイド大入賞口１７の手前で流下（加速）する。サイド大入賞口１７が閉鎖しているときは、流下した遊技球がスライド蓋１７に衝突し、閉じているスライド蓋１７Ｔの上を転動していることを明確に確認することができる。これにより、遊技球が開放しているサイド大入賞口１７を素通りしたか、閉鎖しているサイド大入賞口１７の上を遊技球が転動したかを明確に判別することが可能になる。
【００６９】
ところが、サイド大入賞口１７の手前に流下傾斜面４３Ｋを備えて段差を設けたことにより、比較的高速で転動してきた遊技球が、サイド大入賞口１７を飛び越えてしまう虞がある。しかしながら、図１０に示すように、本発明によれば、転動路４３の上方に、装飾部材３４の下壁３４Ｄの跳ね返し傾斜面３４Ｈが備えられているので、跳ね上がった遊技球を飛び越えさせずにサイド大入賞口１７に向かわせ、サイド大入賞口１７が開放しているときは、遊技球をサイド大入賞口１７に高確率で入球させ、サイド大入賞口１７が閉鎖しているときは、遊技球をスライド蓋１７Ｔに衝突させることができる。
【００７０】
また、図８に示すように、転動路４３のうち流下傾斜面４３Ｋの手前に、遊技球を蛇行させる蛇行部４３Ｊを設けたので、転動路４３を転動してきた遊技球のスピードを抑制することができ、遊技球がサイド大入賞口１７を飛び越えることをより確実に防ぐことが可能となる。さらに、ユニット本体２５Ｂの基準壁２５Ｚと、ユニット蓋２５Ａとに備えられた各突起２５Ｍ，２５Ｎによって、第２通路４１、転動導入斜面４６を通過する遊技球を蛇行させ、遊技球のスピードを抑制することができる。また、第２通路４１を通過した遊技球は、転動路４３を左方へ転動する前に転動路４３の右方側へと逆走させられる。このことによっても遊技球のスピードを抑制することができる。
【００７１】
また、転動路４３には、複数の段差部が形成されているので、最上端点Ｐ１で転動路側４３へ振り分けられた遊技球が、転動導入斜面４６で加速された後、転動路４３の複数の段差部を通過するにつれ、段階的にサイド大入賞口１７に近づくように転動し、遊技球の動きの趣向性が向上する。さらに、スライド蓋１７Ｔの上面と、サブ分割斜面４３Ｒとの間にも段差を設けたことで、スライド蓋１７が開いているときと閉じているときとの遊技球の転動状態に大きな差が生じ、このことによっても遊技球が開放しているサイド大入賞口１７を素通りしたか、閉鎖しているサイド大入賞口１７の上を遊技球が転動したかを明確に判別することが可能になる。
【００７２】
また、本実施形態では、入賞境界線分Ｎは、法律上の「大入賞口」として定められた大きさを確保しながらも、サイド大入賞口１７は遊技球が１つずつしか入賞できない大きさになっている。これにより、例えば、サイド大入賞口１７の開放中に、不正な糸付きの遊技球をサイド大入賞口１７に入れようとした場合、サイド大入賞口１７の大きさが遊技球が１つずつしか入賞できない大きさであれば糸付きの遊技球によってサイド大入賞口１７或いはサイド大入賞口１７への通路が塞がることから球づまりが発生し、不正の発見或いは抑制をすることが可能となる。
【００７３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７４】
（１）上記実施形態では、転動路を構成する大入賞口構成体３６の上壁３６Ｕが、複数の傾斜面から構成されていたが、湾曲した面により構成されていてもよい。
【００７５】
（２）上記実施形態では、サイド大入賞口１７は遊技球が１つずつしか入賞できない大きさになっていたが、例えば、２〜３球ずつ入球可能な大きさになっていてもよい。
【００７７】
（３）上記実施形態では、跳ね返し傾斜面３４Ｈの傾斜角と流下傾斜面４３Ｋの傾斜角とは傾斜角度が異なっていたが、傾斜角度を同じにして、両者が平行になるように構成してもよい。また、跳ね返し傾斜面３４Ｈと流下傾斜面４３Ｋとは平面でなくてもよい。
【符号の説明】
【００７８】
１０    パチンコ遊技機
１１    遊技板
１７    サイド大入賞口（開閉入賞口）
１７Ｔ    スライド蓋
３４Ｄ    下壁（転動路上方カバー壁）
３４Ｇ    逆走誘導部
３４Ｈ    跳ね返し傾斜面
３６Ｕ    上壁（転動路構成壁）
４３    転動路
４３Ｋ    流下傾斜面
４６    転動導入斜面
【図１】
0005853271.tif 000002
【図２】
0005853271.tif 000003
【図３】
0005853271.tif 000004
【図４】
0005853271.tif 000005
【図５】
0005853271.tif 000006
【図６】
0005853271.tif 000007
【図７】
0005853271.tif 000008
【図８】
0005853271.tif 000009
【図９】
0005853271.tif 000010
【図１０】
0005853271.tif 000011
【図１１】
0005853271.tif 000012